(57)【要約】【課題】幼稚園や学校等に設置されている水泳用プールのシーズンオフ等の不使用時に適用されるプール用覆い装置に於て、雨や雪や不純物のプールへの侵入や藻や青味泥等の発生を防止すると共に、無断侵入者のプールへの転落水難事故を防止する。【解決手段】水Ａが貯溜されたプール２と、プール２の水面全体を覆う様に浮かべられた複数の浮力体３と、全浮力体３を覆って周縁がプールサイド６に着脱可能に取付けられる防水性シート４とで構成する。浮力体３は、発泡スチロール製であるのが好ましい。防水性シート４は、一部が高い屋根状にされているのが好ましい。浮力体３と防水性シート４とを遊戯者の運動に耐え得る厚さにして浮力体３の浮動を楽しむ遊具として用いるのが好ましい。【選択図】        図１
2004232368.tif 000002
【特許請求の範囲】
【請求項１】
水が貯溜されたプールと、プールの水面全体を覆う様に浮かべられた複数の浮力体と、全浮力体を覆って周縁がプールサイドに着脱可能に取付けられる防水性シートと、から構成した事を特徴とするプール用覆い装置。
【請求項２】
浮力体は、発泡スチロール製である請求項１に記載のプール用覆い装置。
【請求項３】
防水性シートは、一部が高い屋根状にされている請求項１に記載のプール用覆い装置。
【請求項４】
浮力体上に立設した支柱に依り防水性シートが屋根状にされている請求項３に記載のプール用覆い装置。
【請求項５】
浮力体を貫通してプール底上に立設した支柱に依り防水性シートが屋根状にされている請求項３に記載のプール用覆い装置。
【請求項６】
浮力体を屋根状にする事に依り防水性シートが屋根状にされている請求項３に記載のプール用覆い装置。
【請求項７】
浮力体と防水性シートとを遊戯者の運動に耐え得る厚さにして浮力体の浮動を楽しむ遊具として用いる請求項１に記載のプール用覆い装置。
【発明の詳細な説明】
【０００１】
【発明の属する技術分野】
本発明は、例えば幼稚園や学校等に設置されている水泳用プールに適用され、とりわけシーズンオフ等の不使用時に用いられるプール用覆い装置の改良に関する。
【０００２】
【従来の技術】
従来、この種のプール用覆い装置としては、例えば、特許文献１に記載された保温用プールカバーが知られている。
これは、保温を目的として、折畳み可能で水面に浮かび得るプールカバー主体を複数枚並設する事に依りプールの水面全体を覆う様にしたものである。
【０００３】
【特許文献１】
実公昭６２−２６５１２号公報
【０００４】
【発明が解決しようとする課題】
然しながら、この様なものは、複数枚のプールカバー主体を係止ロープ片で繋ぎ合わせて構成しているので、各プールカバー主体の繋ぎ目から雨や雪や不純物（塵埃や虫や落葉等）がプール内へ侵入すると共に、各プールカバー主体の繋ぎ目からプール内へ日光が直射して光合成に依り藻や青味泥等が発生する惧れがあった。又、無断侵入者がプールへ転落した場合には、プールカバー主体が沈んで無断侵入者が落水する事に依り転落水難事故を招く可能性があった。
【０００５】
本発明は、叙上の問題点に鑑み、これを解消する為に創案されたもので、その課題とする処は、雨や雪や不純物のプールへの侵入や藻や青味泥等の発生を防止すると共に、無断侵入者のプールへの転落水難事故を防止する様にしたプール用覆い装置を提供するにある。
【０００６】
【課題を解決するための手段】
本発明のプール用覆い装置は、基本的には、水が貯溜されたプールと、プールの水面全体を覆う様に浮かべられた複数の浮力体と、全浮力体を覆って周縁がプールサイドに着脱可能に取付けられる防水性シートと、から構成した事に特徴が存する。
【０００７】
プールの水面全体が浮力体に依り覆われていると共に、更に、この浮力体が防水性シートに依り覆われているので、雨や雪や不純物がプール内に侵入する事がないと共に、日光がこれら浮力体と防水性シートに依り遮断されるので、藻や青味泥等の発生も少なくなる。
プールの水面全体が浮力体と防水性シートに依り覆われているので、無断侵入者がプールに転落しても、浮力体と防水性シートに依り受け止められて落水する事がない。
【０００８】
浮力体は、発泡スチロール製であるのが好ましい。この様にすれば、軽量で浮力の大きいものにする事ができ、運搬や取扱いが容易になる。
【０００９】
防水性シートは、一部が高い屋根状にされているのが好ましい。この様にすれば、雨や雪や不純物が防水性シート上に留まる事がなく、これらの重みに依り防水性シートや浮力体が損傷される事がない。
【００１０】
浮力体上に立設した支柱に依り防水性シートが屋根状にされているのが好ましい。この様にすれば、支柱を追加するだけで簡単に防水性シートを屋根状にする事ができる。
【００１１】
浮力体を貫通してプール底上に立設した支柱に依り防水性シートが屋根状にされているのが好ましい。この様にすれば、浮力体に関係なく防水性シートを支持する事ができる。
【００１２】
浮力体を屋根状にする事に依り防水性シートが屋根状にされているのが好ましい。この様にすれば、浮力体に依り防水性シートの全面が均等に担持されるので、防水性シートに集中荷重が掛かる事がなく、これが破損する事がない。
【００１３】
浮力体と防水性シートとを遊戯者の運動に耐え得る厚さにして浮力体の浮動を楽しむ遊具として用いるのが好ましい。この様にすれば、シーズンオフのプールを有効に活用する事ができる。
【００１４】
【発明の実施の形態】
以下、本発明の実施の形態を、図面に基づいて説明する。
図１は、本発明の第一例に係るプール用覆い装置を示す略式斜視図。図２は、図１の縦断側面図。図３は、防水性シートの取付構造を示す要部斜視図である。
【００１５】
プール用覆い装置１は、プール２、浮力体３、防水性シート４とからその主要部が構成されて居り、幼稚園や学校等に設置されている屋外の水泳用プールに適用される。
【００１６】
プール２は、水Ａが貯溜されたもので、この例では、平面長方形状の器型を呈し、長さが略２５ｍ、幅が略１５ｍ、深さ略１．５ｍの貯水部５を備えて居り、プールサイド６の四周には、図３に示す如く、排水用の溝７が形成されている。プール２は、図略しているが、梯子や飛込み台等も備えている。
【００１７】
浮力体３は、プール２の水面全体を覆う様に浮かべられた複数のもので、この例では、抗菌及び防臭処理されて軽量で浮力が大きい合成樹脂発泡体である発泡スチロールが用いられて居り、直方体状を呈して所定の大きさ（略一畳程の大きさ）と所定の厚さ（略１０ｃｍ）を備えている。
【００１８】
防水性シート４は、全浮力体２を覆って周縁がプールサイド６に着脱可能に取付けられるもので、この例では、抗菌及び防臭処理されて防水性及び耐久性のある合成樹脂シートが用いられて居り、単一で平面矩形状を呈して所定の大きさ（四周の溝７までを覆う大きさ）と所定の厚さ（略１００ｋｇの人が乗っても破れない厚さ）を備えている。防水性シート４の周縁（四周）は、取付具８に依りプールサイド６に取付けられる。
【００１９】
取付具８は、この例では、溝７内に挿入されて錘を兼ねた丸棒９と、防水性シート４の四周に所定間隔毎に設けられた貫孔１０と、これに挿通されて丸棒９に架け渡されるロープ１１とを備えている。丸棒９は、四周の溝７に対応して一辺毎に分割されたり或は四辺を一体にして所謂四枠状にされる。貫孔１０には、図略しているが、鳩目が装着されて補強されている。
【００２０】
尚、浮力体３と防水性シート４は、プール２の梯子等を回避する様にその一部が切除されたり折り曲げたりされる。
【００２１】
次に、この様な構成に基づいてその作用を述解する。
シーズンオフには、プール２の貯水部５に水Ａが貯溜されたままにした後、複数の浮力体３が水面に隙間なく浮かべられて水面全体が覆われる。そして、防水性シート４が全ての浮力体３の上から被せられてその周縁がプールサイド６の溝７内に挿入され、取付具８に依り取付けられる。
【００２２】
シーズン前には、前述の逆の手順に依り防水性シート４と浮力体３が取り除かれ、これらは、手入れされた後に倉庫に保管される。この時、防水性シートは、折り畳まれると共に、浮力体は、積み重ねられて保管される。プール２は、水Ａを抜いた後に清掃されて使用可能な状態にされ、シーズンを迎える。
【００２３】
プール２の水面全体が浮力体３に依り覆われていると共に、更に、この浮力体３が防水性シート４に依り覆われているので、雨や雪や不純物がプール２内に侵入する事がないと共に、日光がこれら浮力体３と防水性シート４に依り遮断されるので、藻や青味泥等の発生も少なくなる。その結果、シーズン前のプール２の清掃作業が大幅に簡略化される。
プール２の水面全体が浮力体３と防水性シート４に依り覆われているので、無断侵入者がプール２に転落しても、浮力体３と防水性シート４に依り受け止められて落水する事がない。その結果、無断侵入者の転落水難事故を未然に防止する事ができる。
【００２４】
次に、本発明の第二例を、図４に基づいて説明する。
第二例は、防水性シート４を一部が高い屋根状にした点、浮力体３上に立設した支柱１２に依り防水性シート４を屋根状にした点が、が第一例と異なり、その他は、第一例と同様である。
支柱１２は、長さ略１．５〜２ｍのアルミニウム製のポールが用いられ、単一のものが中央に位置する浮力体３上に立設されている。従って、防水性シート４は、中央部のみが最も高くて四周に行くに従って漸次低くなる所謂山形に形成される。
この様なものは、防水性シート４が山形にしてあるので、雨や雪や不純物が防水性シート４上に留まる事がなく、これらの重みに依り防水性シート４や浮力体３が損傷される事がない。又、支柱１２を追加するだけで防水性シート４を山形にできるので、構成が簡単で施工が容易である。
【００２５】
次に、本発明の第三例を、図５に基づいて説明する。
第三例は、浮力体３を貫通してプール２底上に立設した支柱１２に依り防水性シート４が屋根状にされている点、が第一例と異なり、その他は、第一例と同様である。
支柱１２は、長さ略３〜３．５ｍのアルミニウム製のポールが用いられ、単一のものが中央に位置する浮力体３に穿設した通孔１３に挿通された後に下端がプール２の底部に接地されて立設されている。従って、防水性シート４は、第二例と同様に、中央部のみが最も高くて四周に行くに従って漸次低くなる所謂山形に形成される。
この様なものは、浮力体３に関係なく防水性シート４を支持する事ができると共に、支柱１２の中程が浮力体３に貫通されて所謂保持されているので、支柱１２が倒れる惧れがなく、防水性シート４を常に山形に保つ事ができる。
【００２６】
次に、本発明の第四例を、図６に基づいて説明する。
第四例は、浮力体３を屋根状にする事に依り防水性シート４が屋根状にされている点、が第一例と異なり、その他は、第一例と同様である。
浮力体３は、その上面が全体の中央部のみが最も高くて四周に行くに従って漸次低くなる所謂山形に形成される。防水性シート４は、この様な浮力体３の上面に添う様に被せられる。
この様なものは、浮力体３に依り防水性シート４の全面が均等に担持されるので、防水性シート４に集中荷重が掛かる事がなく、これが破損する事がない。
【００２７】
次に、本発明の第五例を、図７に基づいて説明する。
第五例は、浮力体３と防水性シート４とを遊戯者の運動に耐え得る厚さにして浮力体３の浮動を楽しむ遊具として用いる点、が第一例と異なり、その他は、第一例と同様である。
浮力体３及び防水性シート４の厚さは、第一例の略複数倍（例えば三倍）の厚さにされている。
この様なものは、浮力体３と防水性シート４とが遊戯者の運動に耐え得るものになっているので、水Ａに浮かぶ浮力体３と防水性シート４とを組み合わせたフアフアとした丁度クッションの様な遊具となり、遊戯者がこの上を歩いたり走ったり跳んだり転がったりして遊ぶ事ができ、怪我をする心配もない。その結果、シーズンオフのプール２を有効に活用する事ができる。
【００２８】
昨今、屋内の温水プール等が多く増えている。温水プールは、水を温めて温水にし、利用者に適度な温度の水で水泳を楽しむ事ができる。然しながら、温水を造ろうとすれば、重油や石油や電気等が必要となり、プールを使用しない時、例えば夜間ではプールの水温が著しく下がってしまう。そこで、プールの不使用時に、温水プールの水面全体を保温性を有する発泡スチロール製の浮力体３で覆うと共に、この上からアルミレジャーシート等の保温性を有する防水シート４で覆えば、保温効果が大幅に高まる。
【００２９】
尚、プール２は、先の例では、屋外プールであったが、これに限らず、例えば屋内プールでも良い。
浮力体３は、先の例では、発泡スチロールを用いたが、これに限らず、例えば他の合成樹脂発泡体を用いても良い。
防水性シート４は、先の例では、単一のものであったが、これに限らず、例えば複数枚のものを連結して用いても良い。
防水性シート４は、先の例では、抗菌及び防臭処理されて防水性及び耐久性のある合成樹脂シートであったが、これに限らず、例えばアルミレジャーシートの様な保温性も有するものでも良い。
取付具８は、先の例では、錘を兼ねた丸棒９を用いたが、これに限らず、例えば軽量なパイプを用いてこれを適宜の固定具に依り固定する様にしても良い。
取付具８は、先の例では、丸棒９と貫孔１０とロープ１１とで構成したが、これに限らず、例えば防水性シート４の周縁をくるんで縫着して形成した筒部と、これに挿通される丸棒９とで構成しても良い。
取付具８は、先の例では、丸棒９と貫孔１０とロープ１１とで構成したが、これに限らず、例えば丸棒９の代りにプールサイド６側に設けられた付帯物等を利用しても良い。
支柱１２は、第二例では、浮力体３の上に単に載置されているだけであったが、これに限らず、例えば浮力体３に支持穴を穿設したり、或は浮力体３の上に支持スタンドを設けて支柱１２の下部を支持する様にしても良い。
支柱１２は、第三例では、プール２の底上に単に載置されているだけであったが、これに限らず、例えばプール２の底上に支持スタンドを設けて支柱１２の下部を支持する様にしても良い。
浮力体３と防水性シート４は、第五例では、第一例の複数倍の厚さのものにしたが、これに限らず、例えば第一例と同厚のものを複数だけ単に重合させたり、或は重合させると共にその間を接着して一体化させても良い。
【００３０】
【発明の効果】
以上、既述した如く、本発明に依れば、次の様な優れた効果を奏する事ができる。
（１）  水が貯溜されたプールと、プールの水面全体を覆う様に浮かべられた複数の浮力体と、全浮力体を覆って周縁がプールサイドに着脱可能に取付けられる防水性シートとで構成したので、雨や雪や不純物のプールへの侵入や藻や青味泥等の発生を防止できると共に、無断侵入者のプールへの転落水難事故を防止できる。
（２）    温水プールの水面を保温性のある浮力体と防水性シートで覆う様にすれば、保温効果が向上して温水にする為の熱エネルギーを節減できる。
【図面の簡単な説明】
【図１】本発明の第一例に係るプール用覆い装置を示す略式斜視図。
【図２】図１の縦断側面図。
【図３】防水性シートの取付構造を示す要部斜視図。
【図４】本発明の第二例に係るプール用覆い装置を示す縦断側面図。
【図５】本発明の第三例に係るプール用覆い装置を示す縦断側面図。
【図６】本発明の第四例に係るプール用覆い装置を示す縦断側面図。
【図７】本発明の第五例に係るプール用覆い装置を示す縦断側面図。
【符号の説明】
１…プール用覆い装置、２…プール、３…浮力体、４…防水性シート、５…貯水部、６…プールサイド、７…溝、８…取付具、９…丸棒、１０…貫孔、１１…ロープ、１２…支柱、１３…通孔、Ａ…水。
【図１】
2004232368.tif 000003
【図２】
2004232368.tif 000004
【図３】
2004232368.tif 000005
【図４】
2004232368.tif 000006
【図５】
2004232368.tif 000007
【図６】
2004232368.tif 000008
【図７】
2004232368.tif 000009